(57)【要約】      （修正有）【課題】横方向に長く猫が室内で十分に遊ぶことができ、かつ設置が容易で組み立て作業性が良く、主要部分が紙製であるため廃棄処分を簡単に行える猫の遊戯棚を提供する。【解決手段】猫の遊戯棚は、厚紙からなる角筒形の紙管１と、紙管１同士を上下左右の３方向、４方向、５方向を連結する３種類のジョイントパーツ２と、紙管１とジョイントパーツ２により組み立てられた水平桟に載置される強化段ボール製の平板３と、前記水平枠又は平板に載置される強化段ボール製のボックス４とから構成される。猫は、平板３を利用して天井付近まで登ったり降りたり、途中にあるボックス４の丸穴を利用して上方に登ったり降りたり、また丸穴１２から顔を出したりして遊ぶことができる。【選択図】図１
0003201838.tif 000002
【実用新案登録請求の範囲】
【請求項１】
厚紙からなる角筒形の紙管と、該紙管同士を上下左右の３方向、４方向、５方向を連結する３種類のジョイントパーツと、前記紙管と前記ジョイントパーツにより組み立てられた水平桟に載置される強化段ボール製の平板と、前記水平桟又は平板に載置される強化段ボール製のボックスとから構成されることを特徴とする猫の遊戯棚。
【請求項２】
前記紙管は、リサイクル紙からなる厚紙を切断・折り曲げ加工を施し、所定長さの角筒形に形成したもので、用途に合わせて長短６種類の紙管を形成することを特徴とする請求項１記載の猫の遊戯棚。
【請求項３】
前記ジョイントパーツは、プラスチックを成型加工した、前記紙管の開口部に挿入される複数の端部を備え、前記紙管同士を連結する上下２左右１の３方向パーツ、上下２左右２の４方向パーツ、上下２左右３の５方向パーツからなることを特徴とする請求項１記載の猫の遊戯棚。
【請求項４】
前記平板は、２層強化段ボールからなる平らな紙板で、前記紙管と前記ジョイントパーツにより組み立てられた水平桟に載置され、中央部に猫が通り抜けできる丸穴を開け、該丸穴を猫が通り上段棚又は下段棚に自由に行けるようにすることを特徴とする請求項１記載の猫の遊戯棚。
【請求項５】
前記ボックスは、２層強化段ボールを切断・折り曲げ加工を施し、立方体ボックス又は直方体ボックスに形成し、前記ボックスの少なくとも２側面以上には、中央部に猫が通り抜けできる丸穴を開け、上段棚・下段棚又は同段棚へ通り抜けできるようにすることを特徴とする請求項１記載の猫の遊戯棚。
【請求項６】
前記ボックスの正面側の側面には、内部が見えるように飾り窓を開けて意匠効果を促進させることを特徴とする請求項５記載の猫の遊戯棚。
【請求項７】
前記請求項１の猫の遊戯棚において、棚転倒防止のために天井転倒防止装置又はアングル壁止めを設けたことを特徴とする請求項１記載の猫の遊戯棚。
【考案の詳細な説明】
【技術分野】
【０００１】
本考案は、猫が室内で十分に遊ぶことができ、かつ設置が容易で組立作業性が良く、主要部分が紙製であるため廃棄処分を簡易に行える猫の遊戯棚に関する。
【背景技術】
【０００２】
従来、垂直方向に延びるポール部材と水平方向に延びる棚板を組み合わせた猫等の愛玩動物用の遊戯装置が知られている（特許文献１を参照）。また、支柱に紙管等の管材を用いる猫用の組立式遊戯具が知られている（特許文献２を参照）。
これらのいずれの公知技術も、断面円環形のポール部材や管材にジョイントを使用して上下方向に連結し、かつ前記ポール部材や管材に棚板を利用して左右方向を連結するため、前記遊戯装置や前記組立式遊戯具を横方向に長く連結することが困難であり、室内を幅広く利用することができなかった。
【０００３】
また、組立部材が軽量であり、工具を必要とせず簡単に組立解体が可能であり、しかも使用後の廃棄処分が容易でかつ安価に製作できるラックが知られている（特許文献３を参照）。
この公知技術は、角材による支柱とこの支柱に端部または中間部を嵌め込む連結管とで棚枠を構成し、積層構造で、ある程度の厚みを確保した紙製ボードを棚板とし、前記連結管のうち棚受けとして用いる連結管に前記棚板を載置してなるラックである。
【０００４】
上記公知技術（特許文献３）は、展示場、ショールーム、ショーウインドウで商業用として使用したり、住宅の内外で個人インテリア用や什器・備品として使用するラックであり、該ラックは猫が昇り降りや遊びまわる工夫がされていないので、猫の遊戯棚として利用するには適さないものであった。
【先行技術文献】
【特許文献】
【０００５】
【特許文献１】特開２００７−９７４４６号公報
【特許文献２】特開２００９−１３８８４３号公報
【特許文献３】登録実用新案第３０１８９５４号公報
【考案の概要】
【考案が解決しようとする課題】
【０００６】
本考案は、横方向に長く猫が室内で十分に遊ぶことができ、かつ設置が容易で組み立て作業性が良く、主要部分が紙製であるため廃棄処分を簡単に行える猫の遊戯棚を提供することを目的とする。
【課題を解決するための手段】
【０００７】
本考案の猫の遊戯棚は、厚紙からなる角筒形の紙管と、該紙管同士を上下左右の３方向、４方向、５方向を連結する３種類のジョイントパーツと、前記紙管と前記ジョイントパーツにより組み立てられた水平桟に載置される強化段ボール製の平板と、前記水平桟又は平板に載置される強化段ボール製のボックスとから構成される。
前記紙管は、リサイクル紙からなる厚紙を切断・折り曲げ加工を施し、所定長さの角筒形に形成したもので、用途に合わせて長短６種類の紙管を形成する。
前記ジョイントパーツは、プラスチックを成型加工した、前記紙管の開口部に挿入される複数の端部を備え、前記紙管同士を連結する上下２左右１の３方向パーツ、上下２左右２の４方向パーツ、上下２左右３の５方向パーツからなる。
前記平板は、２層強化段ボールからなる平らな紙板で、前記紙管と前記ジョイントパーツにより組み立てられた水平桟に載置され、中央部に猫が通り抜けできる丸穴を開け、該丸穴を猫が通り上段棚又は下段棚に自由に行けるようにする。
前記ボックスは、２層強化段ボールを切断・折り曲げ加工を施し、立方体ボックス又は直方体ボックスに形成し、前記ボックスの少なくとも２側面以上には、中央部に猫が通り抜けできる丸穴を開け、上段棚・下段棚又は同段棚へ通り抜けできるようにする。
【考案の効果】
【０００８】
本考案の猫の遊戯棚は、厚紙からなる角筒形の紙管と、該紙管同士を上下左右の３方向、４方向、５方向を連結する３種類のジョイントパーツと、前記紙管と前記ジョイントパーツにより組み立てられた水平桟に載置される強化段ボール製の平板と、前記水平枠又は平板に載置される強化段ボール製のボックスとから構成されるため、設置が容易で組み立て作業性が良く、主要部分が紙製であるため廃棄処分を簡単に行える。
本考案の猫の遊戯棚は、前記ジョイントパーツが、プラスチックを成型加工した、前記紙管の開口部に挿入される複数の端部を備え、前記紙管同士を連結する上下２左右１の３方向パーツ、上下２左右２の４方向パーツ、上下２左右３の５方向パーツからなるため、横方向に長く設置でき、猫が室内で十分に遊ぶことができる。
本考案の猫の遊戯棚は、前記平板が、２層強化段ボールからなる平らな紙板で、前記紙管と前記ジョイントパーツにより組み立てられた水平桟に載置され、中央部に猫が通り抜けできる丸穴を開け、該丸穴を猫が通り上段棚又は下段棚に自由に行くことが可能となる。
【図面の簡単な説明】
【０００９】
【図１】本考案の猫の遊戯棚の正面図である。
【図２】本考案の猫の遊戯棚のＡ−Ａ矢視平面図である。
【図３】本考案の猫の遊戯棚のＢ−Ｂ矢視平面図である。
【図４】本考案の猫の遊戯棚のＣ−Ｃ矢視側面図である。
【図５】本考案の猫の遊戯棚のＤ−Ｄ矢視側面図である。
【図６】本考案の猫の遊戯棚のＥ−Ｅ矢視側面図である。
【図７】本考案の猫の遊戯棚の他の実施例の正面図である。
【考案を実施するための形態】
【００１０】
本考案の猫の遊戯棚の一実施例を添付図面に基づいて、以下に説明する。
図１の正面図、図２のＡ−Ａ矢視平面図、図３のＢ−Ｂ矢視平面図、図４のＣ−Ｃ矢視側面図、図５のＤ−Ｄ矢視側面図、図６のＥ−Ｅ矢視側面図に示すように、本考案の猫の遊戯棚は、厚紙からなる角筒形の紙管１と、該紙管１同士を上下左右の３方向、４方向、５方向を連結する３種類のジョイントパーツ２と、前記紙管１と前記ジョイントパーツ２により組み立てられた水平桟に載置される強化段ボール製の平板３と、前記水平桟又は平板３に載置される強化段ボール製のボックス４とから構成される。
【００１１】
前記紙管１は、リサイクル紙からなる厚紙を切断・折り曲げ加工を施し、所定長さの角筒形に形成したもので、用途に合わせて長短６種類の紙管１を形成する。なお、本実施例では天井転倒防止装置を使用するため、天井面へのアジャスター付きの紙管５を６個と、天井アタッチメント６を３個用意する。
【００１２】
前記ジョイントパーツ２は、プラスチックを成型加工した、前記紙管の開口部に挿入される複数の端部を備える。前記ジョイントパーツ２は、前記紙管同士を上下２左右１の３方向パーツ７、上下２左右２の４方向パーツ８、上下２左右３の５方向パーツ９を備えている。
【００１３】
前記平板３は、２層強化段ボール（Ｂｉ−Ｗａｌｌ  Ｐａｃｋ；バイウォールパック）からなる平らな紙板で、前記紙管１と前記ジョイントパーツ２により組み立てられた水平桟に載置される。本実施例では水平桟の幅で長さの違う３種類の平板３を形成した。前記平板３には、中央部に猫が通り抜けできる丸穴（図示せず）を開け、該丸穴（図示せず）を猫が通り上段棚又は下段棚に自由に行けるようにする。
【００１４】
前記ボックス４は、２層強化段ボールを切断・折り曲げ加工を施し、立方体ボックス１０又は直方体ボックス１１に形成する。前記ボックス４の少なくとも２側面以上には、中央部に猫が通り抜けできる丸穴１２を開け、上段棚・下段棚又は同段棚へ通り抜けできるようにする。また、前記ボックス４の正面側の側面には、内部が見えるように飾り窓１３を開けて、本実施例では猫の肉球をデザインした飾り窓１３を設けて意匠効果を促進させる。
【００１５】
つぎに、本考案の猫の遊戯棚の操作動作を添付図面に基づいて、以下に説明する。
部屋内の天井、床、壁に合わせて紙管１、ジョイントパーツ２を選択し、図３に示すように矩形の枠を形成し、図６に示すように該枠を上下方向に伸ばして複数段の棚を形成し、天井面に当たる部分にアジャスター付きの紙管５を用意し、アタッチメント６を天井に当てて地震等による転倒を防止するように棚を支持する。
横方向の水平桟には、図１に示すように各棚段にそれぞれ任意に平板３やボックス４を配置する。本実施例では、棚を５段に形成し、最下段には平板３を１個、２段目には平板３を２個と立方体ボックス１０を１個、３段目には平板３を１個と直方体ボックス１１を１個、４段目には立方体ボックス１０を２個、最上段には平板３を２個設ける。
このようにして、平板３やボックス４を適宜選択することにより、オーナーの好みにあった猫の遊戯棚に組み立てることができる。
猫は、平板３を利用して天井付近まで登ったり降りたり、途中にあるボックス４の丸穴（図示せず）を利用して上方に登ったり降りたり、また丸穴１２から顔を出したりして遊ぶことができる。
【００１６】
次に、本考案の猫の遊戯棚の他の実施例を添付図面に基づいて、以下に説明する。
図７の正面図に示すように、本考案の猫の遊戯棚の他の実施例は、天井転倒防止装置を採用しないで、壁面にアングル壁止め１３を設けて転倒防止を図ったものである。
したがって、他の構成は上記猫の遊戯棚と同様であり、厚紙からなる角筒形の紙管１と、該紙管１同士を上下左右の３方向、４方向、５方向を連結する３種類のジョイントパーツ２と、前記紙管１と前記ジョイントパーツ２により組み立てられた水平桟に載置される強化段ボール製の平板３と、前記水平桟又は平板３に載置される強化段ボール製のボックス４とから構成される。
【符号の説明】
【００１７】
１  紙管
２  ジョイントパーツ
３  平板
４  ボックス
５  アジャスター付きの紙管
６  天井アタッチメント
７  ３方向パーツ
８  ４方向パーツ
９  ５方向パーツ
１０  立方体ボックス
１１  直方体ボックス
１２  丸穴
１３  アングル壁止め
【図１】
0003201838.tif 000003
【図２】
0003201838.tif 000004
【図３】
0003201838.tif 000005
【図４】
0003201838.tif 000006
【図５】
0003201838.tif 000007
【図６】
0003201838.tif 000008
【図７】
0003201838.tif 000009